(57)【要約】【課題】コストの増加を抑制する洗車機ＷＡを提供する。【解決手段】被洗浄車両ＣＡを跨ぐ門型に形成されるとともに被洗浄車両ＣＡに対して前後方向に相対移動して被洗浄車両ＣＡを洗浄する本体部１を備えた洗車機ＷＡにおいて、本体部１が一方向に延びる複数のフォーミング材３５〜３７の長手方向を前後方向、左右方向及び上下方向に配してそれぞれ連結することにより本体部１の骨組みを形成するフレーム３３と、長手方向を前後方向に配したフォーミング材３５と平行でフレーム３３の上面を覆う天井カバー３２と、を有し、長手方向を前後方向に配したフォーミング材３５と、長手方向を左右方向に配したフォーミング材３７と、長手方向を上下方向に配したフォーミング材３６と、をそれぞれ直交して連結し、長手方向を前後方向に配した複数のフォーミング材３５が地面Ｇに対して同じ傾斜角で後方を下方に傾斜する。【選択図】図３
2014031044.tif 000002
【特許請求の範囲】
【請求項１】
被洗浄車両を跨ぐ門型に形成されるとともに被洗浄車両に対して前後方向に相対移動して被洗浄車両を洗浄する本体部を備えた洗車機において、
前記本体部が一方向に延びる複数のフォーミング材の長手方向を前後方向、左右方向及び上下方向に配してそれぞれ連結することにより前記本体部の骨組みを形成するフレームと、
長手方向を前後方向に配した前記フォーミング材と平行で前記フレームの上面を覆う天井カバーと、
を有し、長手方向を前後方向に配した前記フォーミング材と、長手方向を左右方向に配した前記フォーミング材と、長手方向を上下方向に配した前記フォーミング材と、をそれぞれ直交して連結し、長手方向を前後方向に配した複数の前記フォーミング材が地面に対して同じ傾斜角で後方を下方に傾斜することを特徴とする洗車機。
【請求項２】
前記フレームに軸支される前輪及び後輪を備え、前記フレームの下面から前記前輪の回転軸までの距離と前記後輪の回転軸までの距離とが同じで、前記前輪の直径が前記後輪の直径よりも大きいことを特徴とする請求項１に記載の洗車機。
【請求項３】
前記フレームに軸支される前輪及び後輪を有し、前記フレームの下面から前記前輪の回転軸までの距離が前記後輪の回転軸までの距離よりも小さく、前記前輪の直径と前記後輪の直径とが同じであることを特徴とする請求項１に記載の洗車機。
【発明の詳細な説明】
【技術分野】
【０００１】
本発明はフレームを有する洗車機に関する。
【背景技術】
【０００２】
給油所等に設置される従来の洗車機は特許文献１に開示される。この洗車機は左右の対向する２つのスタンド部とスタンド部の上端を連結する天井部とを有して門型に形成される本体部を有する。本体部は被洗浄車両を跨いで前後方向に移動して被洗浄車両の洗浄及び乾燥を行う。
【０００３】
本体部はフレーム及び天井カバーを有する。フレームは一方向に延びる複数のフォーミング材を上下方向、左右方向及び前後方向に連結することにより本体部の骨組みを形成する。天井カバーは地面に対して後方が下方に傾斜してフレームの上面を覆うように設けられる。これにより、雨天の際に天井カバー上に落下した雨水が天井カバー上を流下し、地面に滴下して排出される。
【０００４】
天井部及びスタンド部には回転ブラシ、噴射部及び乾燥部が配される。回転ブラシはトップブラシ及びサイドブラシから成り、被洗浄車両に当接して被洗浄車両を洗浄する。噴射部はトップノズル及びサイドノズルから成り、被洗浄車両から離間して水や液剤を噴射する。
【０００５】
乾燥部は被洗浄車両から離間して空気を供給して被洗浄車両を乾燥させる。天井部にはトップブラシ、トップノズル及びトップ乾燥部が配され、左右のスタンド部にはサイドブラシ、サイドノズル及びサイド乾燥部が配される。
【０００６】
所定の洗車条件に基づき洗車が開始されると、被洗浄車両の前方に配された本体部は後方へ移動しながら各ブラシを用いて被洗浄車両の前端から洗浄する。洗浄が終了すると、乾燥部から被洗浄車両に対して空気を供給して被洗浄車両を乾燥させる。
【先行技術文献】
【特許文献】
【０００７】
【特許文献１】特開平５−３１９２１７号公報
【発明の概要】
【発明が解決しようとする課題】
【０００８】
しかしながら、上記従来の洗車機によると、天井カバーから鉛直に延びる複数のフォーミング材は天井カバーが地面に対して後方が下方に傾斜するために、それぞれの長さが異なるように形成されている。このためフォーミング材の長さが統一されないために部品が共通化できず、洗車機のコストが増加する問題があった。
【０００９】
本発明は、コストの増加を抑制する洗車機を提供することを目的とする。
【課題を解決するための手段】
【００１０】
上記目的を達成するために本発明は、被洗浄車両を跨ぐ門型に形成されるとともに被洗浄車両に対して前後方向に相対移動して被洗浄車両を洗浄する本体部を備えた洗車機において、前記本体部が一方向に延びる複数のフォーミング材の長手方向を前後方向、左右方向及び上下方向に配してそれぞれ連結することにより前記本体部の骨組みを形成するフレームと、長手方向を前後方向に配した前記フォーミング材と平行で前記フレームの上面を覆う天井カバーと、を有し、長手方向を前後方向に配した前記フォーミング材と、長手方向を左右方向に配した前記フォーミング材と、長手方向を上下方向に配した前記フォーミング材と、をそれぞれ直交して連結し、長手方向を前後方向に配した複数の前記フォーミング材が地面に対して同じ傾斜角で後方を下方に傾斜することを特徴とする。
【００１１】
この構成によると、長手方向を前後方向に配した複数のフォーミング材が傾斜し、これらの間に同じ長さの複数のフォーミング材を立設してフレームが形成される。これにより、フレームの上面が傾斜し、フレーム上に配される天井カバーが傾斜する。雨天の際に天井カバーに落下する雨水は天井カバー上を後方に流下し、地面に滴下して排水される。また、被洗浄車両の洗浄時にフレーム上に飛散した洗浄水が前後に延びるフォーミング材上を伝って後方から排水される。
【００１２】
また、本発明は上記構成の洗車機において、前記フレームに軸支される前輪及び後輪を備え、前記フレームの下面から前記前輪の回転軸までの距離と前記後輪の回転軸までの距離とが同じで、前記前輪の直径が前記後輪の直径よりも大きいことを特徴とする。
【００１３】
また、本発明は上記構成の洗車機において、前記フレームに軸支される前輪及び後輪を有し、前記フレームの下面から前記前輪の回転軸までの距離が前記後輪の回転軸までの距離よりも小さく、前記前輪の直径と前記後輪の直径とが同じであることを特徴とする。
【発明の効果】
【００１４】
本発明によると、複数のフォーミング材を連結したフレームにより本体部の骨組みを形成し、長手方向を前後方向に配した複数のフォーミング材が地面に対して同じ傾斜角で後方を下方に傾斜する。これにより、フレーム上に配した天井カバーを容易に傾斜させて雨水を排水することができる。また、長手方向を上下方向に配した複数のフォーミング材を共通化して洗車機のコストを削減することができる。加えて、被洗浄車両の洗浄時にフレームに付着した水滴が前後に延びたフレーム上を伝って後方に排水され、フレームの汚れを低減することができる。
【図面の簡単な説明】
【００１５】
【図１】本発明の実施形態の洗車機の全体構成を示す側面図
【図２】本発明の実施形態の洗車機の本体部の構成を示す正面図
【図３】本発明の実施形態の洗車機の本体部のフレームの要部構成を示す側面図
【図４】本発明の実施形態の洗車機の本体部のフレームの要部構成を示す正面図
【図５】本発明の実施形態の洗車機のフォーミング材の断面図
【発明を実施するための形態】
【００１６】
以下に本発明の実施形態を図面を参照して説明する。図１、図２本発明の一実施形態の洗車機の全体構成を示す側面図、本体部の構成を示す正面図である。洗車機ＷＡは本体部１、リモートパネル７Ａ及びレール２を備えている。本体部２は左右の対向する２つのスタンド部９０と、スタンド部９０の上端を連結する天井部９１とを有して門型に形成される。
【００１７】
リモートパネル７Ａは本体部１の進入経路上に配される。被洗浄車両ＣＡはリモートパネル７Ａの面前で停車し、ユーザは被洗浄車両ＣＡ内からリモートパネル７Ａの操作によって洗車の受け付け等の操作を行う。
【００１８】
天井部９１の下部及び両スタンド部９０には車両検知センサ８、９が設けられる。車両検知センサ８、９は光電センサや超音波センサ等により形成され、本体部１の走行によって被洗浄車両ＣＡの外面形状を検知する。
【００１９】
本体部１の一方のスタンド部９０の前面には操作パネル７が配される。操作パネル７はリモートパネル７Ａと同様の操作ボタンを備え、被洗浄車両ＣＡから降車したユーザ等の操作により洗車の受け付けや洗車モードの設定を行う。
【００２０】
操作パネル７及びリモートパネル７Ａに設けたボタンにより、シャンプー、ワックス掛け、撥水コート等に使用する液剤を水洗いに追加して洗車モードを設定することができる。また、高級なシャンプー、高級なワックス、高級な撥水コート、特殊なコート等を行うボタンも操作パネル７及びリモートパネル７Ａに設けられる。更に、フロントガード有り、フェンダーポール有り、サイドミラー有り、リヤワイパー有り、ルーフキャリア有り、該当装備品無し等の装備品設定ボタンが設けられている。
【００２１】
本体部１には被洗浄車両ＣＡ上に摺動してブラッシングする複数の回転ブラシが設けられる。回転ブラシは軸部（不図示）にブラシ毛（不図示）を放射状に固着して形成される。モータ（不図示）によって回転ブラシが移動し、回転負荷に応じて被洗浄車両ＣＡに対して接離する。回転ブラシはサイドブラシ５、トップブラシ４及びロッカーブラシ６から成っている。トップブラシ４、サイドブラシ５及びロッカーブラシ６は被洗浄車両ＣＡの上面、側面、側面下部及び車輪を洗浄する。
【００２２】
また、本体部１には気流を発生させて被洗浄車両ＣＡを乾燥させるブロア２０が設けられる。トップ送風ノズル２１は本体部１の中央上部に設けられ、被洗浄車両ＣＡに沿って昇降して被洗浄車両ＣＡの上面に向けて送風する。サイド送風ノズル２２は左右のスタンド部９０に夫々に設けられ、被洗浄車両ＣＡの側面に向けて送風する。トップ送風ノズル２１及びサイド送風ノズル２２の送風によって洗浄後の被洗浄車両ＣＡを乾燥させる。
【００２３】
スタンド部９０にはシャンプー、ワックス掛け、撥水コート等に使用する液剤を貯液した複数の貯液タンク（不図示）を収納するタンク収納部５０が配される。タンク収納部５０の近傍には貯液タンク６１に接続される分配配管部５１が設けられる。分配配管部５１を介して液剤が各ノズルに供給される。
【００２４】
本体部１には第１、第２浄水ノズル１１、１３、第１、第２洗剤ノズル１２、１５、撥水コートノズル１４、ワックスノズル１６が設けられる。第１、第２浄水ノズル１１、１３は本体部１の手前側及び奥側にそれぞれ配され、被洗浄車両ＣＡに対して給水部７１を介して水（市水）を噴射する。第１、第２洗剤ノズル１２、１５は本体部１の手前側及び奥側にそれぞれ配され、被洗浄車両ＣＡに対して洗剤を噴射する。
【００２５】
撥水コートノズル１４は本体部１の奥側に配され、被洗浄車両ＣＡに対して撥水コート剤を噴射する。ワックスノズル１６は本体部１の奥側に配され、被洗浄車両ＣＡに対してワックスを噴射する。
【００２６】
レール２は地面Ｇに左右一対に設けられ、本体部１に設けた車輪３がレール２上に配される。これにより、本体部１は走行モータ（不図示）の駆動によりレール２上を走行して被洗浄車両ＣＡに対して前後に相対移動するように立設される。
【００２７】
図３、図４は本体部１の骨組みを形成するフレーム３３の側面図及び正面図を示している。フレーム３３は複数のフォーミング材３５、３６、３７を連結して形成される。フォーミング材３５、３６、３７は図５に示すように一方向に延び延びた方向に垂直な断面がＬ字状に形成される。フォーミング材３５、３６、３７は厚さａ３（３ｍｍ）の薄板鉄板を折り曲げて等辺（ａ１＝ａ２＝５０ｍｍ）に形成される。
【００２８】
フォーミング材３５（３５ａ〜３５ｈ）は長手方向を前後方向に配される。フォーミング材３６（３６ａ〜３６ｊ）は長手方向を上下方向に配される。フォーミング材３７（３７ａ〜３７ｊ）は長手方向を左右方向に配される。フォーミング材３５、フォーミング材３６、フォーミング材３７は互いに直交して連結される。
【００２９】
長手方向を前後方向に配したフォーミング材３５ａとフォーミング材３５ｆとの間に配されるフォーミング材３６ｃ〜３６ｅは同じ長さで形成して立設される。これにより、フォーミング材３６ｃ〜３６ｅの共通化を図ることができる。
【００３０】
前輪３ａ及び後輪３ｂはフレーム３３の下部に軸支される。フレーム３３の下端のフォーミング材３５ｈにはそれぞれの回転軸３ｃ、３ｄが設けられ、前輪３ａの直径ｄ１が後輪３ｂの直径ｄ２よりも大きい。また、フレーム３３の下面３３ａから前輪３ａの回転軸３ｃまでの距離と後輪３ｂの回転軸３ｄまでの距離とが同じに形成される。
【００３１】
これにより、長手方向を前後方向に配したフォーミング材３５ａ〜３５ｈが地面に対して同じ傾斜角θで後方を下方に傾斜する。なお、傾斜角θは１度程度である。フレーム３３には天井カバー３２及び背面板３８が設けられる。天井カバー３２はフレーム３３の上面を覆う略矩形状に形成される。これにより、天井カバー３２も地面に対して傾斜角θで傾斜する。
【００３２】
背面板３８はフレーム３３の後面を覆う略矩形状に形成される。背面板３８には複数の排出口３１が設けられる。排出口３１はフォーミング材３５ｂ、３５ｃ、３５ｇ、３５ｈの上面に臨んで配される。これにより、フォーミング材３５ｂ、３５ｃ、３５ｇ、３５ｈに付着した洗浄水は矢印Ａに示すように排出口３１から排出される。
【００３３】
上記構成の洗車機ＷＡにおいて、ユーザは本体部１と離れた所定の位置で被洗浄車両ＣＡを停止する。そして、被洗浄車両ＣＡ内から手を伸ばしてリモート操作パネル７Ａにより所望の洗車設定を行う。
【００３４】
被洗浄車両ＣＡが停車位置に配されると本体部１が被洗浄車両ＣＡの後方に向かって移動し、洗車が開始される。被洗浄車両ＣＡの外面はトップブラシ４、サイドブラシ５及びロッカーブラシ６が回転して洗浄される。洗浄が終了すると、トップ送風ノズル２１、サイド送風ノズル２２から被洗浄車両ＣＡに対して空気を供給して被洗浄車両ＣＡを乾燥させて洗車を終了する。
【００３５】
被洗浄車両ＣＡの洗浄の際に洗浄水はフォーミング材３５、３６上に付着する。フォーミング材３６に付着した洗浄水は自重により、フォーミング材３５上に到達する。この時、フォーミング材３５が地面に対して同じ傾斜角θで後方を下方に傾斜するため、フレーム３３上に飛水した洗浄水は排出口３１から排出される。
【００３６】
複数のフォーミング材３５、３６、３７を連結したフレーム３３により本体部１の骨組みを形成し、長手方向を前後方向に配した複数のフォーミング３５材が地面Ｇに対して同じ傾斜角θで後方を下方に傾斜する。これにより、フレーム３３上に配した天井カバー３２を容易に傾斜させて雨水を排水することができる。また、長手方向を上下方向に配した複数のフォーミング３６材を共通化して洗車機ＷＡのコストを削減することができる。加えて、被洗浄車両ＣＡの洗浄時にフレーム３３に付着した水滴が前後に延びたフレーム３５上を伝って後方に排水され、フレーム３３の汚れを低減することができる。
【００３７】
また、長手方向を前後方向に配したフォーミング材３５と、長手方向を左右方向に配したフォーミング材３７と、長手方向を上下方向に配したフォーミング材３６と、をそれぞれ直交して連結したため、容易にフレーム３３を形成することができる。
【００３８】
また、フレーム３３の下面３３ａから前輪３ａの回転軸３ｃまでの距離と後輪３ｂの回転軸３ｄまでの距離とが同じで、前輪３ａの直径ｄ１が後輪３ｂの直径ｄ２よりも大きいこため、容易にフレーム３３を傾斜させることができる。
【００３９】
また、本実施形態において、前輪３ａ及び後輪３ｂを同じ直径に形成すると、前輪３ａ及び後輪３ｂを共通化することができる。この時、フレーム３３の下面３３ａから前輪３ａの回転軸までの距離を後輪の回転軸までの距離よりも小さくすると、フレーム３３を容易に傾斜させることができる。
【産業上の利用可能性】
【００４０】
本発明によると、フレームを有する洗車機に利用することができる。
【符号の説明】
【００４１】
１      本体部
２      レール
３      車輪
３ａ    前輪
３ｂ    後輪
３ｃ、３ｄ    回転軸
４      トップブラシ
５      サイドブラシ
２０    ブロア
３１    排出口
３２    天井カバー
３３    フレーム
３３ａ  底面
３５ａ〜３５ｈ    フォーミング材
３６ａ〜３６ｉ    フォーミング材
３７ａ〜３７ｉ    フォーミング材
３８    背面板
９０    スタンド部
９１    天井部
ＣＡ    被洗浄車両
ＷＡ    洗車機
【図１】
2014031044.tif 000003
【図２】
2014031044.tif 000004
【図３】
2014031044.tif 000005
【図４】
2014031044.tif 000006
【図５】
2014031044.tif 000007